(57)【要約】【課題】フリーアクセスフロアに加温機能を持たせつつ、強度の向上をも図ることのできるパネルを提供すること。【解決手段】本発明に係るパネルは、表面板１と、該表面板１の下方に配され、上方に突出する半球面状のディンプル３を複数有する裏面板２と、前記表面板１と前記裏面板２とによって囲まれる空間内に配されるコア材１０とを具備したフリーアクセスフロア用のパネルであって、前記表面板１の平らな下面に沿わせて発熱体７を配した。【選択図】図１
2020133332.tif 000002
【特許請求の範囲】
【請求項１】
表面板と、
該表面板の下方に配され、上方に突出する半球面状のディンプルを複数有する裏面板と、
前記表面板と前記裏面板とによって囲まれる空間内に配されるコア材とを具備したフリーアクセスフロア用のパネルであって、
前記表面板の平らな下面に沿わせて発熱体を配したことを特徴とするパネル。
【請求項２】
前記発熱体を、前記ディンプルの頂部の真上を避けた位置に配した請求項１に記載のパネル。
【発明の詳細な説明】
【技術分野】
【０００１】
本発明は、例えば、フリーアクセスフロアを構成するパネルに関する。
【背景技術】
【０００２】
従来、事務所等において、ＯＡ機器への配線を床下に通すため、フリーアクセスフロア（二重床）が採用されている。
【０００３】
ところで、一般に、オフィス等の空調はエアコンにより行われることが多いが、特に冬季には、エアコンによる暖気が床面全体に行き渡らず、場所によってかなりの温度差が生じ得る。また、コピー機等の機械類のみがあり、人が長時間留まらない場所はそれほど温める必要は無く、作業机周辺など、人が長時間留まる場所を重点的に温めれば足りることも多い。
【０００４】
そこで、室内を部分的に暖房する手段として、面発熱体を備えた二重床が提案されている（特許文献１参照）。この二重床では、任意の場所を容易に加温することが可能となる。
【先行技術文献】
【特許文献】
【０００５】
【特許文献１】特開平６−３４１６５５号公報
【発明の概要】
【発明が解決しようとする課題】
【０００６】
しかし、上記二重床では、床上に重量物を載置した場合、強度が不十分となる恐れがある。
【０００７】
本発明は上述の事柄に留意してなされたもので、その目的は、フリーアクセスフロアに加温機能を持たせつつ、強度の向上をも図ることのできるパネルを提供することにある。
【課題を解決するための手段】
【０００８】
上記目的を達成するために、本発明に係るパネルは、表面板と、該表面板の下方に配され、上方に突出する半球面状のディンプルを複数有する裏面板と、前記表面板と前記裏面板とによって囲まれる空間内に配されるコア材とを具備したフリーアクセスフロア用のパネルであって、前記表面板の平らな下面に沿わせて発熱体を配した（請求項１）。
【０００９】
上記パネルにおいて、前記発熱体を、前記ディンプルの頂部の真上を避けた位置に配してもよい（請求項２）。
【発明の効果】
【００１０】
本願発明では、フリーアクセスフロアに加温機能を持たせつつ、強度の向上をも図ることのできるパネルが得られる。
【００１１】
すなわち、本願の各請求項に係る発明のパネルでは、発熱体により加温機能を持たせることができ、ディンプルにより強度の向上を図ることができる。
【００１２】
請求項２に係る発明のパネルでは、発熱体と裏面板との間に断熱材であるコア材を介在させることにより、加温機能の向上を図ることができる。
【図面の簡単な説明】
【００１３】
【図１】（Ａ）は本発明の一実施の形態に係るパネルの構成を概略的に示す底面図、（Ｂ）は（Ａ）のＢ−Ｂ線切断断面図である。
【図２】（Ａ）は前記パネルの構成を概略的に示す平面図、（Ｂ）は（Ａ）を左側からみた側面図、（Ｃ）は図１（Ａ）のＦ２Ｃ部拡大図、（Ｄ）は図１（Ｂ）のＦ２Ｄ部拡大図である。
【発明を実施するための形態】
【００１４】
本発明の実施の形態について図面を参照しながら以下に説明する。
【００１５】
図１（Ａ）及び（Ｂ）、図２（Ａ）〜（Ｄ）に示すパネルは、フリーアクセスフロア用のパネルであり、鋼板製の表面板１及びこの表面板１の下方に配される裏面板２とを具備する。
【００１６】
裏面板２は、図１（Ａ）及び（Ｂ）に示すように、上方に突出する半球面状のディンプル３を複数有する（図１（Ｂ）では上下が逆さになっている）。ディンプル３は、大きさが不均一であり、図１（Ａ）に示すように複数の列状に配されている（図示例では横方向に間隔を置いて並ぶディンプル３の列が五つある）。そして、各列のディンプル３の頂点を覆うように金属製の帯板４が配され、帯板４は各ディンプル３にスポット溶接される。帯板４は、球面状（曲面状）である各ディンプル３の頂部に平面を形成し、表面板１の下面に裏面板２を接着し易くするためのものである。すなわち、帯板４と表面板１の下面とは接着剤により接合される。また、表面板１と裏面板２とは周縁部どうしも例えば接着剤により接合される。
【００１７】
なお、本例では、図１（Ａ）に示すように、裏面板２の中央の１個のディンプル３を円状に囲むようにこれよりやや大きい６個のディンプル３が配され、これら計７個のディンプル３を囲むように額縁状に計１６個のディンプル３が配されている。額縁状に並ぶ１６個のディンプル３は、相対的に大きいものと小さいものとが交互に並び、４隅のディンプル３と各辺中央のディンプル３とが小さくなっている。図１（Ａ）の例では、縦方向において中央に位置する列の中央と両端のディンプル３が最小、縦方向において両端に位置する列の中央と両端のディンプル３がその次に小さく、それ以外のディンプル３が最大となるようにしてある。
【００１８】
また、上方に突出する各ディンプル３の頂部が表面板１の下面に接触することによって表面板１と裏面板２との間に隙間が生じることのないように、図１（Ｂ）、図２（Ｂ）及び（Ｄ）に示すように、裏面板２の側壁５は、各ディンプル３が設けられた底面６から立ち上がっている。
【００１９】
このように、裏面板２に複数のディンプル３を設けることにより、パネルの強度の向上を図ることができる。
【００２０】
また、本例では、表面板１の平らな下面に沿わせ、図１（Ａ）及び図２（Ａ）に示すように蛇行させるようにして、線状の発熱体７を配する。本例の発熱体７は、図１（Ａ）に示すように、各ディンプル３及び各帯板４（の真上となる位置）を避けて（ディンプル３各列の間を通るように）蛇行している。発熱体７を表面板１の下面に沿わせる（表面板１の下面側に保持する）に際しては、表面板１の下面にねじ止め等により固定される適宜の保持部材７ａ（図２（Ｄ）参照）により、発熱体７をその全体にわたって保持するか、あるいは発熱体７の複数個所を部分的に保持することが考えられる。なお、図１（Ａ）には分かり易さのために発熱体７を実線で示しているが、本来は裏面板２及び後述するコア材１０で覆われるため、この図には表れない。
【００２１】
斯かる発熱体７には、例えば、カーボン線、ニクロム線等の電熱線を用いることができる。そして、発熱体７の両端には、導線８が接続され（図２（Ｃ）参照）、この導線８は、例えば、他のパネルの発熱体７（導線８）に電気的に接続されるように構成されていてもよいし、電源（コンセント）に接続されるプラグを有するように構成されていてもよい。なお、図２（Ｃ）において、符号９はアース線である。
【００２２】
このように、表面板１の下面に発熱体７を配することにより、パネルを加温することが可能となる。
【００２３】
さらに、表面板１と裏面板２とによって囲まれる空間内にはコア材１０（図１（Ｂ）参照）を配するのであり、コア材１０を断熱材（例えばウレタン発泡材）とすることにより、発熱体７による加温性能の向上を図ることが可能となる。特に、本例では、各ディンプル３の真上を避けた位置に発熱体７を設けるので、発熱体７と裏面板２との間にはコア材１０がある程度の厚みをもって介在することになり、これにより、上記加温性能が優れたものとなる。
【００２４】
なお、本発明は、上記の実施の形態に何ら限定されず、本発明の要旨を逸脱しない範囲において種々に変形して実施し得ることは勿論である。例えば、以下のような変形例を挙げることができる。
【００２５】
ディンプル３の構成（数、形状等）は、図１（Ａ）及び（Ｂ）に示したものに限らず、他の構成を有するディンプル３を採用してもよい。例えば、全てのディンプル３が底面視（平面視）において欠けていない円状を呈している必要はなく、裏面板２の周縁部には一部が欠けた円状を呈するディンプル３を配するようにしてもよい。
【００２６】
上記実施の形態では、各ディンプル３の真上を避けた位置に発熱体７を設けているが、発熱体７は、ディンプル３の頂部（帯板４）の真上を避けた位置に設ければよく、例えばディンプル３の周縁部の上方にかかるように設けてもよい。
【００２７】
上記実施の形態では帯板４を用いているが、これに限らず、帯板４を用いなくてもよい。この場合、ディンプル３の頂部を表面板１の下面に例えば接着剤により直接接合することが考えられる。
【００２８】
なお、上記変形例どうしを適宜組み合わせてもよいことはいうまでもない。
【符号の説明】
【００２９】
１    表面板
２    裏面板
３    ディンプル
４    帯板
５    側壁
６    底面
７    発熱体
７ａ  固定部材
８    導線
９    アース線
１０    コア材
【図１】
2020133332.tif 000003
【図２】
2020133332.tif 000004